(57)【要約】【課題】組立作業の効率低下を防ぐとともに、副軸バネの変形を抑えることが容易となる光ピックアップを提供する。【解決手段】平行に配置された主軸および副軸に摺動可能に支持される光ピックアップであって、ピックアップベースと、板状体から形成された部材であって、前記ピックアップベースに固定される固定部、および前記固定部から延出した延出部を有する板バネ部材と、を備え、前記板バネ部材は、前記延出部における板バネの弾性力によって前記副軸を押さえつけるように配置され、前記板状体の縁を前記押さえつけの方向へ突出させるように曲げられた曲げ部が、前記延出部に設けられており、前記突出の先端は、前記光ピックアップが前記副軸に支持される前の状態において、前記ピックアップベースの所定部分に接触する光ピックアップとする。【選択図】図７
2014096192.tif 000002
【特許請求の範囲】
【請求項１】
平行に配置された主軸および副軸に摺動可能に支持される光ピックアップであって、
ピックアップベースと、
板状体から形成された部材であって、前記ピックアップベースに固定される固定部、および前記固定部から延出した延出部を有する板バネ部材と、を備え、
前記板バネ部材は、
前記延出部における板バネの弾性力によって前記副軸を押さえつけるように配置され、
前記板状体の縁が前記押さえつけの方向へ突出するように曲げられた曲げ部が、前記延出部に設けられており、
前記突出の先端は、
前記光ピックアップが前記副軸に支持される前の状態において、前記ピックアップベースの所定部分に接触することを特徴とする光ピックアップ。
【請求項２】
前記副軸に支持された状態において、
前記副軸に押されて前記延出部に撓みが生じることにより、前記突出の先端と前記所定部分の間に隙間ができることを特徴とする請求項１に記載の光ピックアップ。
【請求項３】
前記板バネ部材は、
前記固定部と前記延出部の間において、前記撓みを生じ易くさせる切欠きが設けられたことを特徴とする請求項２に記載の光ピックアップ。
【請求項４】
前記所定部分は、
前記副軸を挟み込むようにして該副軸に係合する部分であることを特徴とする請求項２または請求項３に記載の光ピックアップ。
【請求項５】
平行に配置された主軸および副軸と、
前記主軸および副軸に摺動可能に支持される請求項１から請求項４の何れかに記載の光ピックアップと、を備え、
前記光ピックアップを、前記主軸および副軸に沿って駆動させることを特徴とするドライブ装置。
【請求項６】
請求項５に記載のドライブ装置を有し、
前記ドライブ装置を用いて、光ディスクからのデータ読取または光ディスクへのデータ記録を行うことを特徴とするディスク装置。
【発明の詳細な説明】
【技術分野】
【０００１】
本発明は、光ディスクからのデータ読取等に利用される光ピックアップ、ならびにこれを用いたドライブ装置およびディスク装置に関する。
【背景技術】
【０００２】
従来、光ディスクの再生等を行うディスク装置が、広く利用されている。ディスク装置は、回転する光ディスクに光ピックアップからの光を照射し、光ディスクに記録された情報の再生等を行う。一般的に光ピックアップは、対物レンズアクチュエータや受光素子などが、ピックアップベースに設けられた構成となっている。
【０００３】
また光ピックアップは、主軸および副軸を有するドライブ装置に設けられる。より具体的には、光ピックアップは、平行に配置された主軸および副軸に摺動可能に支持され、これらの軸に沿って、光ディスクの径方向に駆動される。
【０００４】
なお光ピックアップは、副軸に対してある程度のゆとりを持たせた状態（遊びの多い状態）で係合される。これにより、光ピックアップを副軸に取付ける作業は容易となっている。また、光ピックアップの製造時或いは組立時に発生する形状の誤差（ずれ）等が、許容され易くなっている。
【０００５】
但しこのような利点を有する反面、上述したゆとりを持たせた場合には、例えば振動や衝撃が加わったときに、光ピックアップの姿勢が不安定となり易い。そのため、このままでは光ディスクに対する光の照射位置がずれ易く、情報再生等の精度低下などを招く虞がある。
【０００６】
そこでこのような不具合を回避するべく、ピックアップベースに副軸バネ（板バネ部材）を設けておく手法が採用される。副軸バネは、その弾性力によって副軸を押しつけておく部材である。これにより、光ピックアップは振動や衝撃が加わっても姿勢を崩しにくく、情報再生等を精度良く行うことが可能となる。
【先行技術文献】
【特許文献】
【０００７】
【特許文献１】特開２００６−２５２６８４号公報
【発明の概要】
【発明が解決しようとする課題】
【０００８】
上述した通り、ピックアップベースに副軸バネを設けておくことにより、光ピックアップの姿勢を安定させることが可能である。このような光ピックアップの組立作業では、予めピックアップベースに副軸バネが乗せられ、ビス止め等によって副軸バネがピックアップベースに固定される。
【０００９】
しかし副軸バネは小型化されていることもあり、ピックアップベースに安定的に乗せておくことは容易ではない。そのため、副軸バネを安定的に乗せておくための組立用治具の使用等を余儀なくされ、組立作業の効率低下が問題となっていた。
【００１０】
また衝撃等によって副軸バネに変形が生じると、光ピックアップの適切な駆動等が阻害され、ディスク装置の性能劣化等を招く虞がある。そのため、副軸バネに衝撃等が加わった場合であっても、副軸バネの変形は極力抑えられることが望ましい。
【００１１】
本発明は上述した問題に鑑み、組立作業の効率低下を防ぐとともに、副軸バネの変形を抑えることが容易となる光ピックアップの提供を目的とする。また本発明は当該光ピックアップを用いたドライブ装置およびディスク装置の提供を目的とする。
【課題を解決するための手段】
【００１２】
本発明に係る光ピックアップは、平行に配置された主軸および副軸に摺動可能に支持される光ピックアップであって、ピックアップベースと、板状体から形成された部材であって、前記ピックアップベースに固定される固定部、および前記固定部から延出した延出部を有する板バネ部材と、を備え、前記板バネ部材は、前記延出部における板バネの弾性力によって前記副軸を押さえつけるように配置され、前記板状体の縁を前記押さえつけの方向へ突出させるように曲げられた曲げ部が、前記延出部に設けられており、前記突出の先端は、前記光ピックアップが前記副軸に支持される前の状態において、前記ピックアップベースの所定部分に接触する構成とする。
【００１３】
本構成によれば、組立作業の効率低下を防ぐとともに、副軸バネの変形を抑えることが容易となる。
【００１４】
また上記構成としてより具体的には、前記副軸に支持された状態において、前記副軸に押されて前記延出部に撓みが生じることにより、前記突出の先端と前記所定部分の間に隙間ができる構成としてもよい。
【００１５】
また上記構成としてより具体的には、前記板バネ部材は、前記固定部と前記延出部の間において、前記撓みを生じ易くさせる切欠きが設けられた構成としてもよい。また上記構成としてより具体的には、前記所定部分は、前記副軸を挟み込むようにして該副軸に係合する部分である構成としてもよい。
【００１６】
また本発明に係るドライブ装置は、平行に配置された主軸および副軸と、前記主軸および副軸に摺動可能に支持される上記構成の光ピックアップと、を備え、前記光ピックアップを、前記主軸および副軸に沿って駆動させる構成とする。
【００１７】
また本発明に係るディスク装置は、上記構成のドライブ装置を有し、前記ドライブ装置を用いて、光ディスクからのデータ読取または光ディスクへのデータ記録を行う構成とする。
【発明の効果】
【００１８】
本発明に係る光ピックアップによれば、組立作業の効率低下を防ぐとともに、副軸バネの変形を抑えることが容易となる。また本発明に係るドライブ装置およびディスク装置によれば、本発明に係る光ピックアップの利点を享受することが出来る。
【図面の簡単な説明】
【００１９】
【図１】本実施形態に係るディスク再生装置の構成図である。
【図２】当該ディスク再生装置の外観図である。
【図３】本実施形態に係るドライブ装置の概略的な構成図である。
【図４】本実施形態に係るピックアップベースの外観図である。
【図５】本実施形態に係る副軸バネの外観図（平面図）である。
【図６】当該副軸バネの外観図（斜視図）である。
【図７】本実施形態に係る光ピックアップの組立作業に関する説明図である。
【図８】本実施形態に係るドライブ装置の組立作業に関する説明図である。
【図９】当該副軸バネの撓みに関する説明図である。
【発明を実施するための形態】
【００２０】
本発明の実施形態の一例について、各図面を参照しながら以下に説明する。
【００２１】
［ディスク再生装置の全体構成］
図１は、本実施形態に係るディスク再生装置１（ディスク装置の一形態）およびその周辺機器に関するブロック図である。本図に示すようにディスク再生装置１は、ディスク読取部１２、再生信号生成部１３、信号出力部１４、制御部１６、および操作部１７などを備えている。またディスク再生装置１には、ディスプレイ３１を有する画像表示機器３（例えばテレビ受像機）が接続される。
【００２２】
また図２は、ディスク再生装置１の外観図である。ディスク再生装置１は、各種部品が筐体１８に収納された本体と、本体の遠隔操作を可能とするリモコン（リモートコントロール）送信機１７ｃを有している。また筐体１８の前面には、ディスク挿入口１１、付属ディスプレイ１５、操作スイッチ１７ａ、およびリモコン受信部１７ｂが設けられている。
【００２３】
ディスク挿入口１１は、再生用の光ディスク２が挿入される。ディスク読取部１２は、光ピックアップを有するドライブ装置ＤＲを備えており、制御部１６の指示に応じて、光ディスク２に記録されている情報（一例として画像情報とする）を読取って後段側に送出する。なおドライブ装置ＤＲの構成については、改めて詳細に説明する。
【００２４】
再生信号生成部１３は、ディスク読取部１２から送出される情報を受取り、この情報を再生させるための再生信号を生成して、信号出力部１４に送出する。信号出力部１４は、再生信号生成部１３から受取った再生信号を、外部機器（画像表示機器３）へ出力する。
【００２５】
画像表示機器３は、ディスク再生装置１から再生信号が入力されると、この再生信号の内容をディスプレイ３１に表示する。すなわちディスク再生装置１は、画像表示機器３への再生信号出力によって、光ディスク２に記録されている情報を再生させることが可能である。また付属ディスプレイ１５は、ディスク再生装置１の本体に付属しているディスプレイであり、現在時刻や再生状況などの簡易な情報表示に用いられる。
【００２６】
制御部１６は、例えばＣＰＵによって形成されており、ディスク再生装置１が適切に動作するように、ディスク再生装置１の各部を制御する。
【００２７】
操作部１７は、操作スイッチ１７ａおよびリモコン装置（リモコン受光部１７ｂおよびリモコン送信機１７ｃを含む）を有しており、ユーザの操作を受付ける。操作内容は制御部１６に伝えられるようになっており、これにより、ディスク再生装置１の動作にユーザの意図を反映させることが可能となっている。
【００２８】
［ドライブ装置の構成等］
次に、上述したドライブ装置ＤＲの構成について説明する。図３は、ドライブ装置ＤＲの概略的な構成図である。本図に示すようにドライブ装置ＤＲは、主軸Ｍｓ、副軸Ｓｓ、および光ピックアップＰなどを備えている。
【００２９】
主軸Ｍｓおよび副軸Ｓｓは、ドライブ装置ＤＲのベースに固定された棒状の部材であり、ラジアル方向（光ディスク２の径方向）へ延びるように配置されている。このように主軸Ｍｓと副軸Ｓｓは、平行に配置されている。主軸Ｍｓおよび副軸Ｓｓは、光ピックアップＰを摺動可能に支持する役割を果たす。
【００３０】
光ピックアップＰは、光ディスク２にレーザ光を照射する装置である。光ピックアップＰは、レーザ光学系を形成する各部品が、ピックアップベース４０（後述する図４等を参照）に設けられた構成となっている。なおレーザ光学系を形成する部品としては、光ディスク２にレーザ光を集光する対物レンズ、およびレーザ光を受光して電気信号に変換する受光素子の他、レーザ光源、偏光ビームスプリッタ、コリメートレンズ、１／４波長板等の光学素子が挙げられる。またピックアップベース４０には、光ピックアップＰの姿勢を安定させるための（光ピックアップＰの防振用の）副軸バネ５０（後述する図５等を参照）が設けられる。
【００３１】
なお対物レンズは、レンズアクチュエータによって、フォーカス方向（光ディスク２に接近離間する方向）及びトラッキング方向（光ディスク２のラジアル方向）に位置が調節される。このように対物レンズの位置を調節することによって、レーザ光を光ディスク２のトラックに精度よく集光させることが可能である。
【００３２】
受光素子は、光ディスク２で反射した光（戻り光）が入力され、その戻り光を電気信号へと変換する。受光素子として、光電センサ等の半導体素子を用いたものを挙げることができるが、これに限定されるものではなく、受信した光を電気信号に変換できるものを広く採用することができる。受光素子で変換された電気信号は、光ディスク２に記録された情報を含む信号や、レンズアクチュエータを駆動制御するための信号として用いられる。
【００３３】
図４は、ピックアップベース４０の一部（副軸Ｓｓに係合する部分の周辺）の外観図である。
【００３４】
ピックアップベース４０は樹脂により一体的に形成されており、主軸Ｍｓを貫通させる貫通孔を有した軸受け部４１の他、図４に示すように、係合部４２および副軸バネ取付部４３を備えている。なお軸受け部４１は、殆どガタツキが無いように主軸Ｍｓを貫通させるが、主軸Ｍｓに固定されているわけではなく、主軸Ｍｓに沿って摺動可能である。
【００３５】
係合部４２は、軸受け部４１の有る側と反対側の向きに開口した凹形状を有しており、この凹形状で副軸Ｓｓを挟み込むようにして、副軸Ｓｓに係合するよう形成されている。係合部４２は、係合している副軸Ｓｓに沿って摺動可能である。なお係合部４２は、副軸Ｓｓに対してある程度のゆとりを持たせた状態（遊びの多い状態）で係合する。
【００３６】
これにより、光ピックアップＰを副軸Ｓｓに取付ける作業は容易となっている。また、光ピックアップＰの製造時或いは組立時に発生する形状の誤差（ずれ）等が、許容され易くなっている。軸受け部４１が主軸Ｍｓに外嵌するとともに、係合部４２が副軸Ｓｓに係合することで、光ピックアップＰはラジアル方向へ摺動可能に支持される。
【００３７】
副軸バネ取付部４３は、副軸バネ５０が取り付けられる部分である。副軸バネ取付部４３は、副軸バネ５０の一部（後述する固定部５１）を載置することが出来る平面部分を有している。またこの平面には、副軸バネ５０を固定するための突起４３ａやビス止め用孔４３ｂが設けられている。
【００３８】
副軸バネ５０は、板状体の加工によって形成された板バネ部材である。副軸バネ５０を形成する板状体として、鉄、アルミ、アルミ合金、ステンレス、リン青銅等の金属板を挙げることができるが、これらには限定されない。
【００３９】
副軸バネ５０は、その弾性力によって副軸Ｓｓを押しつけておく役割を果たす。この押しつけによって、副軸Ｓｓは、ある程度の力でピックアップベース４０（より詳しくは、係合部４２）に押しつけられた状態に維持される。そのため上述したように係合部４２と副軸Ｓｓの係合にゆとりを持たせていても、光ピックアップの姿勢の不安定化が抑えられる。すなわち副軸バネ５０は、光ピックアップＰに振動や衝撃が加わってもその姿勢が崩れないようにし、光ディスク２に対する光の照射位置のずれを抑えて、情報再生等が精度良く行われるようにする。
【００４０】
図５は副軸バネ５０の平面図を示し、図６は副軸バネ５０の斜視図を示している。これらの図に示すように、副軸バネ５０は固定部５１および延出部５２を有している。固定部５１は、ピックアップベース４０（より詳しくは、副軸バネ取付部４３）に固定される部分である。固定部５１は、副軸バネ取付部４３に対応した平面部分（板状体の表面の一部に相当する）を有している。この平面部分には、突起４３ａが嵌め込まれる嵌込孔５１ａ、およびビス止め用孔４３ｂに対応した貫通孔５１ｂが設けられている。
【００４１】
延出部５２は、固定部５１から延出した部分である。延出部５２は、光ピックアップＰの組立完成時において、副軸Ｓｓが伸びる方向とほぼ同じ方向に伸びるような形態となる。副軸バネ５０は、延出部５２における板バネの弾性力によって、係合部４２に係合している副軸Ｓｓを押さえつけるように配置される。延出部５２は副軸Ｓｓを押さえつける際、その反力によって（つまり副軸Ｓｓに押されて）撓みが生じる。
【００４２】
また延出部５２には、接触部５２ａおよび曲げ部５２ｂが設けられている。接触部５２ａは、当該押さえつけの際に副軸Ｓｓに接触する部分であり、固定部５１から最も離れた延出部５２の先端近傍に設けられている。曲げ部５２ｂは、板状体の縁が当該押さえつけの方向へ突出するように、ほぼ直角に曲げられた部分である。曲げ部５２ｂの役割は、後述する説明によって明らかとなる。
【００４３】
また副軸バネ５０には、固定部５１と延出部５２の間において切欠きＣが設けられている。このような切欠きＣが設けられることにより、特に図５に示す領域Ｘにおいてバネ性が向上し、先述した撓みが生じ易くなっている。なお曲げ部５２ｂは領域Ｘ、つまり切欠きＣによって撓みが生じ易くなった部分に設けられている。
【００４４】
次に、副軸バネ５０のピックアップベース４０への取付作業（光ピックアップＰの組立作業の一部）について説明する。副軸バネ５０は、ピックアップベース４０が主軸Ｍｓや副軸Ｓｓに取付けられる前（支持される前）に、ピックアップベース４０へ取付けられる。
【００４５】
先ず図７に示すように、副軸バネ５０における固定部５１の平面部分が、ピックアップベース４０における副軸バネ取付部４３の平面部分に接するように、副軸バネ５０がピックアップベース４０に乗せられる。なお図７における副軸バネ５０は、輪郭以外が透けた形態で表示されている。
【００４６】
図７に示す状態では、嵌込孔５１ａへの突起４３ａの嵌め込みや、副軸バネ取付部４３における平面部分の外縁の壁などを利用して、副軸バネ５０はピックアップベース４０に位置決めされている。つまり副軸バネ５０とピックアップベース４０の位置関係は、予め決められた状態に特定されている。
【００４７】
このとき、曲げ部５２ｂの突出の先端は、ピックアップベース４０の所定部分（より詳しくは、係合部４２の外側表面）に接触する。これにより副軸バネ５０は、固定部５１だけではなく、曲げ部５２ｂの突出の先端においてもピックアップベース４０に支持される格好となる。
【００４８】
そのため、副軸バネ５０をピックアップベース４０に安定的に乗せておくことは容易であり、副軸バネ５０を安定的に乗せておくための組立用治具などは不要である。すなわち、例えば副軸バネ取付部４３の平面部分に副軸バネ５０を乗せておくだけでは、当該平面部分が狭いこともあり、副軸バネ５０が安定しないために組立用治具の使用等が必要となるが、本実施形態では不要である。このように副軸バネ５０に曲げ部５２ｂを設けておくことは、光ピックアップＰの組立作業の効率低下を防ぐという観点から有効である。
【００４９】
また図７に示す状態では、ビス止め用孔４３ｂと貫通孔５１ｂは同心となっている。そこで貫通孔５１ｂにビスを通した上で、ビス止め用孔４３ｂにビス止めを行うことにより、副軸バネ５０はピックアップベース４０にしっかりと固定される。このように副軸バネ５０を固定させた段階では、曲げ部５２ｂの突出の先端はピックアップベース４０に接触している。また副軸バネ５０における接触部５２ａは、係合部４２を副軸Ｓｓに係合させる際に副軸Ｓｓと干渉する位置（つまり当該係合の際に、副軸Ｓｓに押し退けられる位置）にある。
【００５０】
上述した作業を経て形成された光ピックアップＰは、次にドライブ装置ＤＲの組立作業の一環として、主軸Ｍｓおよび副軸Ｓｓに取付けられる。すなわち光ピックアップＰは、軸受け部４１において主軸Ｍｓが貫通するとともに、図８に示すように係合部４２において副軸Ｓｓと係合した状態にされ、これらの軸に支持された状態とされる。
【００５１】
係合部４２を副軸Ｓｓに係合させる際、接触部５２ａは、副軸Ｓｓに当たって押し退けられる。これにより図９に示すように、副軸バネ５０は副軸Ｓｓに押され、副軸Ｓｓから離れる方向へ撓む。そのため光ピックアップＰが副軸Ｓｓに支持された状況において、延出部５２は、副軸Ｓｓに押されて撓みが生じているとともに、その板バネの弾性力によって副軸Ｓｓを押さえつける状態となる。
【００５２】
また先述した切欠きＣが設けられていることもあり、このように延出部５２に撓みが生じることによって、曲げ部５２ｂの突出の先端とピックアップベース４０（係合部４２）の間には隙間ができる。すなわち曲げ部５２ｂの突出の先端は、ピックアップベース４０から切り離された格好となる。
【００５３】
これにより、延出部５２のバネ機能への悪影響は抑えられる。つまり曲げ部５２ｂの突出の先端がピックアップベース４０に接触したままであると、延出部５２の動きが制限されてそのバネ機能が阻害されてしまうが、曲げ部５２ｂの突出の先端がピックアップベース４０から切り離されることにより、このような不具合は抑えられる。
【００５４】
また光ピックアップＰが副軸Ｓｓに支持された状態において、副軸Ｓｓへ押しつけられるように副軸バネ５０に衝撃荷重が加わっても、曲げ部５２ｂの突出の先端がピックアップベース４０に当たり、副軸バネ５０の変形が極力抑えられる。つまり曲げ部５２ｂにおける突出部分は、当該変形を抑えるためのストッパーの役割を果たす。このように副軸バネ５０に曲げ部５２ｂを設けておくことは、副軸バネ５０の変形を抑えるという観点からも有効である。
【００５５】
［その他］
以上に説明した通り光ピックアップＰは、平行に配置された主軸Ｍｓおよび副軸Ｓｓに摺動可能に支持されるものであって、ピックアップベース４０と、板状体から形成された部材であって、ピックアップベース４０に固定される固定部５１、および固定部５１から延出した延出部５２を有する副軸バネ５０（板バネ部材）と、を備えている。
【００５６】
また副軸バネ５０は、延出部５２における板バネの弾性力によって副軸Ｓｓを押さえつけるように配置され、板状体の縁が前記押さえつけの方向へ突出するように曲げられた曲げ部５２ｂが、延出部５２に設けられている。そして前記突出の先端は、光ピックアップＰが副軸Ｓｓに支持される前の状態において、ピックアップベース４０の所定部分に接触するようになっている。
【００５７】
そのため光ピックアップＰによれば、組立作業の効率低下を防ぐとともに、副軸バネ５０の変形を抑えることが容易となっている。
【００５８】
またドライブ装置ＤＲは、平行に配置された主軸Ｍｓおよび副軸Ｓｓと、主軸Ｍｓおよび副軸Ｓｓに摺動可能に支持される光ピックアップＰと、を備えており、光ピックアップＰを、主軸Ｍｓおよび副軸Ｓｓに沿って駆動させるようになっている。
【００５９】
またディスク再生装置１はドライブ装置ＤＲを有し、ドライブ装置ＤＲを用いて、光ディスク２からのデータ読取を行うようになっている。なお本実施形態では、ディスク装置の一例としてディスク再生装置を挙げたが、本発明のディスク装置はこれに限られることはなく、例えばディスク記録装置に適用することも可能である。この場合に当該ディスク記録装置は、例えばドライブ装置ＤＲを有し、ドライブ装置ＤＲを用いて、光ディスク２へのデータ記録を行うように構成される。
【００６０】
以上の通り本発明の各実施形態について説明したが、本発明の構成は、上記実施形態のほか、発明の主旨を逸脱しない範囲で種々の変更を加えることが可能である。すなわち、上記実施形態は、全ての点で例示であって、制限的なものではないと考えられるべきである。
【００６１】
また本発明の技術的範囲は、上記実施形態の説明ではなく、特許請求の範囲によって示されるものであり、特許請求の範囲と均等の意味及び範囲内に属する全ての変更が含まれると理解されるべきである。また本発明は、光ディスクの再生等を行うディスク装置などに利用することができる。
【符号の説明】
【００６２】
１      ディスク再生装置（ディスク装置）
１１    ディスク挿入口
１２    ディスク読取部
１３    再生信号生成部
１４    信号出力部
１５    付属ディスプレイ
１６    制御部
１７    操作部
１７ａ  操作スイッチ
１７ｂ  リモコン受信部
１７ｃ  リモコン送信機
１８    筐体
２      光ディスク
３      画像表示機器
４０    ピックアップベース
４１    軸受け部
４２    係合部
４３    副軸バネ取付部
４３ａ  突起
４３ｂ  ビス止め用孔
５０    副軸バネ（板バネ部材）
５１    固定部
５１ａ  嵌込孔
５１ｂ  貫通孔
５２    延出部
５２ａ  接触部
５２ｂ  曲げ部
ＤＲ    ドライブ装置
Ｐ      光ピックアップ
Ｍｓ    主軸
Ｓｓ    副軸
【図１】
2014096192.tif 000003
【図２】
2014096192.tif 000004
【図３】
2014096192.tif 000005
【図４】
2014096192.tif 000006
【図５】
2014096192.tif 000007
【図６】
2014096192.tif 000008
【図７】
2014096192.tif 000009
【図８】
2014096192.tif 000010
【図９】
2014096192.tif 000011